(57)【要約】【課題】衛生洗浄装置を組み立てる際の作業者の配線の手間を減らし、作業スピードを改善すること、及び、製造時の他部品によるハーネスの噛み込みを減らすことが出来る衛生洗浄装置を提供する。【解決手段】便器本体の後方に設置される衛生洗浄装置本体と、衛生洗浄装置本体に設けられ、回動可能な便座を固定しているケースカバーと、ケースカバーに設けられる人体検知部品、リモコン受光部、焦電センサや便座、便蓋の電動開閉部品からなる第一電気部品と、衛生洗浄装置本体と便器本体とを固定するプレートと、プレートに設けられた複数の第二電気部品と、第一及び第二電気部品を制御する制御基板と、を有する衛生洗浄装置であって、第一電気部品と制御基板とを接続する上側ハーネス束をカバーで固定する第一電線ユニットを備え、第一電線ユニットはカバーと嵌合するための固定形状をもつ第一ハーネス束固定部材を有している。【選択図】図３
2015209733.tif 000002
【特許請求の範囲】
【請求項１】
便器本体の後方に設置される衛生洗浄装置本体と、
前記衛生洗浄装置本体に設けられ、回動可能な便座を固定しているケースカバーと、
前記ケースカバーに設けられる人体検知部品、リモコン受光部、焦電センサや便座、便蓋の電動開閉部品からなる第一電気部品と、
前記衛生洗浄装置本体と前記便器本体とを固定するプレートと、
前記プレートに設けられた複数の第二電気部品と、
前記第一及び第二電気部品を制御する制御基板と、
を有する衛生洗浄装置であって、
前記第一電気部品と前記制御基板とを接続する上側ハーネス束を前記カバーで固定する第一電線ユニットを備え、前記第一電線ユニットは前記カバーと嵌合するための固定形状をもつ第一ハーネス束固定部材を有していることを特徴とする衛生洗浄装置。
【請求項２】
前記第二電気部品と前記制御基板を接続する下側ハーネス束を前記プレートで固定する第二電線ユニットを備え、前記第二電線ユニットは前記プレートと嵌合するための固定形状をもつ第二ハーネス束固定部材を有していることを特徴とする請求項１記載の衛生洗浄装置。
【発明の詳細な説明】
【技術分野】
【０００１】
本発明は便器に設けられる衛生洗浄装置に関する。
【背景技術】
【０００２】
これまでの衛生洗浄装置は、電子部品と制御部品をハーネスもしくはハーネス束で接続することで駆動させていた。しかし、ハーネスやハーネス束は配線時の固定部を有していないため、衛生洗浄装置のカバーなどに有する配線用のフックやリブにハーネスを通すことで配線ルートを確保していた。しかし、自由に屈曲するハーネスを複数のフックやリブに通す煩わしい配線作業を作業者は行う必要があった。また、作業者が衛生洗浄装置の組立作業時にハーネスを衛生洗浄装置の部品で噛み込んでしまう可能性があり品質的にも問題を抱えている。
【０００３】
そこで、ハーネス束を、衛生洗浄装置と嵌合する部品に取り付けることで配線作業を簡略化する技術が提案されている。また、ハーネスを方向付けすることにより噛み込みの可能性を減らす技術も提案されている。（公開技報）
【０００４】
この方法では、ハーネス全体を固定部材で覆うのではなく、複数の固定ポイントに各々固定部材を設けているので、従来のフックやリブに通す方法と比較すると顕著な差は感じられない。また、品質面でもハーネスが方向付けされているため噛み込みにくくはなっているがハーネスは自由に屈曲して、噛み込みの可能性は残っており改善の余地がある。
【先行技術文献】
【非特許文献】
【０００５】
【非特許文献１】発明協会公開技報  公技番号２０１４−５０１２２１
【発明の概要】
【発明が解決しようとする課題】
【０００６】
本発明は、上記問題を解決するものであって、衛生洗浄装置を組み立てる際の作業者の配線の手間を減らし、作業スピードを改善すること、及び、製造時の他部品によるハーネスの噛み込みを減らすことが出来る衛生洗浄装置を提供することを目的としている。
【課題を解決するための手段】
【０００７】
第１の発明は、便器本体の後方に設置される衛生洗浄装置本体と、前記衛生洗浄装置本体に設けられ、回動可能な便座を固定しているケースカバーと、前記ケースカバーに設けられる人体検知部品、リモコン受光部、焦電センサや便座、便蓋の電動開閉部品からなる第一電気部品と、前記衛生洗浄装置本体と前記便器本体とを固定するプレートと、前記プレートに設けられた複数の第二電気部品と、前記第一及び第二電気部品を制御する制御基板と、を有する衛生洗浄装置であって、前記第一電気部品と前記制御基板とを接続する上側ハーネス束を前記カバーで固定する第一電線ユニットを備え、前記第一電線ユニットは前記カバーと嵌合するための固定形状をもつ第一ハーネス束固定部材を有していることを特徴とする衛生洗浄装置である。
【０００８】
この衛生洗浄装置は、ケースカバーと第一電線ユニットの第一ハーネス束固定部材とを嵌合することでハーネスをフックに掛けるといった配線作業を簡略化することが出来る。また、第一電線ユニットの上側ハーネス束は、第一ハーネス束固定部材により配線ルートが確定しており上側ハーネス束の噛み込み懸念をなくすことができる。衛生洗浄装置を組み立てる際の作業者の配線作業の手間を減らし、作業スピードを改善すること、及び、組み立て作業時の他部品によるハーネスの噛み込みを減らすことが出来る衛生洗浄装置を提供することが出来る。
【０００９】
また、第２の発明は、前記第二電気部品と前記制御基板を接続する下側ハーネス束を前記プレートで固定する第二電線ユニットを備え、前記第二電線ユニットは前記プレートと嵌合するための固定形状をもつ第二ハーネス束固定部材を有していることを特徴とする衛生洗浄装置である。
【００１０】
この衛生洗浄装置は、固定プレートの取付構造と第二電線ユニットの第二ハーネス固定部材を嵌合することでハーネスをフックに掛けるといった配線作業を簡略化することが出来る。また、第二電線ユニットの下側ハーネス束は、第二ハーネス束固定部材により配線ルートが確定しており下側ハーネス束の噛み込み懸念をなくすことができる。衛生洗浄装置を組み立てる際の作業者の配線作業の手間を減らし、作業スピードを改善すること、及び、組立作業時の他部品によるハーネスの噛み込みを減らすことが出来る衛生洗浄装置を提供することが出来る。
【００１１】
本発明の態様によれば、配線作業を削減することでの作業工程の減少、製造時のハーネス噛み込みをなくすことで衛生洗浄装置の品質の安定化が提供される。
【図面の簡単な説明】
【００１２】
【図１】衛生洗浄装置と便器本体との側面図である。
【図２】前固定プレートと後固定プレートとに組み付けられる部品の天面図である。
【図３】ケースカバーに組み付けられる部品の底面図である。
【図４】ケースカバーに取り付けられる第一ハーネス束固定部材の断面図である。
【図５】固定プレートに取り付けられる第二ハーネス束固定部材の断面図である。
【発明を実施するための形態】
【００１３】
以下、本発明を具体化した実施例を図面を参照しつつ説明する。
【００１４】
図１は、衛生洗浄装置と便器本体との側面図である。
本発明の衛生洗浄装置は、図１で示すように、便器本体１の後方に設置される衛生洗浄装置本体２と、本体２の外観を構成するケースカバー３とを備える。
【００１５】
図２は、前固定プレートと後固定プレートとに組み付けられる部品の天面図である。図３は、ケースカバーに組み付けられる部品の底面図である。
図２、図３で示すように、ケースカバー３には複数の第一電気部品１６〜２３が設けられている。衛生洗浄装置は、衛生洗浄装置本体２と便器本体１とを固定するプレートを有している。固定プレートは、第二電気部品８〜１３が設けられる前固定プレート６と、本体２の後端を軸に回動可能な後固定プレート７と、を備える。
【００１６】
図４は、ケースカバーに取り付けられる第一ハーネス束固定部材の断面図である。図４に示す上側ハーネス２７は複数の第一電気部品１６〜２３に取り付けられるハーネスを束ねており、上側ハーネス束２７はハーネスの動きを抑制しケースカバー３に取り付け可能なハーネス束固定部材２４を備える。第一ハーネス束固定部材２４は上側ハーネス束２７を固定するためにフック２５を設けており、フック２５内に上側ハーネス束２７を嵌合することで組み立て時の上側ハーネス束２７の抜けを防止する。
【００１７】
前記衛生洗浄装置は複数の第二電気部品８〜１３とに取り付けられる下側ハーネス束３０と、下側ハーネス束３０を収納し前固定プレート６に取り付けられるハーネス束固定部材１４を設けている。
【００１８】
図５は、固定プレートに取り付けられる第二ハーネス束固定部材の断面図である。図５に示すように下側ハーネス束３０はハーネスの動きを抑制し前固定プレート３に取り付け可能なハーネス束固定部材１４を備える。ハーネス固定部材１４は下側ハーネス束３０を固定するためにフック２８を設けており、フック２８内に下側ハーネス束３０を嵌合することで組み立て時の下側ハーネス束３０の抜けを防止する。
【００１９】
ケースカバー３は、図１で示すように回動可能な便蓋４と便座５を設けている。便座５は、図示しない電気ヒーター部と、電気ヒーターと制御部１３とを接続するハーネスを有している。
【００２０】
図２に示すように、前固定プレート６は、進退自由に設けられ、吐水口から水を噴射して使用者の身体を洗浄する局部洗浄ノズル８を備える。
【００２１】
局部洗浄ノズル８は、前記局部洗浄ノズルの後端に配置される洗浄水の流量調節モーター１０と、前記局部洗浄ノズル８の下方に配置されるタイミングベルト３１と、タイミングベルト３１で駆動して局部洗浄ノズル８の伸縮を可能にするステッピングモーター１１とを備える。
【００２２】
前固定プレート６は、洗浄水をヒーターにより温度を一定で貯めることが可能な熱交換器タンク９と、水を熱交換器９にポンプ３２により送り込むバルブユニット１２とを備えている。
【００２３】
また、前固定プレート６は、トイレ使用時の臭気を吸気し、無臭の気体として排出する脱臭ユニット１５と、衛生洗浄装置の全電子部品を制御する制御部１３と、周りの温度を感知して制御部に信号を送るセンサ３３とを備える。
【００２４】
ケースカバー３に設けられている第一電気部品１６〜２３は、図３に示すようにリモコンからの信号を受信するリモコン受光部２０と、便座を開閉するヒンジ機構２１と、便蓋を開閉するヒンジ機構１７と、人体の存在を検知し制御部１３へ信号を送る人体検知部１６と、人体の存在を検知し制御部へ信号を送る焦電センサ２２と、衛生洗浄装置の状態を表示する表示基板２３と、ヒンジ機構２１とヒンジ機構１７の開閉動作を制御するドライバー基板１９と、人が便座に着座したことを検知し制御部１３へ信号を送る着座SW１８とを備えている。
【００２５】
第一ハーネス束固定部材２４は、図４で示すように凹形状であり、ケースカバー３の内壁に沿って構成される。第一ハーネス束固定部材２４は、人体検知部１６と、ヒンジ機構２１に端部を持ち、ドライバー基盤１９付近で焦電センサ２２と、着座SW１８と、ヒンジ機構１７と近い距離を持つ構成と、リモコン受光部２０、表示基盤２３と近い距離を持つ構成とに分岐する。また、第一ハーネス束固定部材２４は、凹部に上側ハーネス束２７を収納できフック２５により上側ハーネス束２７がフック２５から抜けない構造を備えることでハーネスの噛み込みを防止する。
【００２６】
またケースカバー３は、前記第一ハーネス固定部材２４取り付けるためのフック２６を設けており、フック２６に第一電線ユニット３５を嵌合することで組み立てられるためハーネス配線作業の必要がない。
【００２７】
上側ハーネス束２７は、人体検知部１６と、リモコン受光部２０と、焦電センサ２２と、着座SW１８と、ドライバー基板１９と、表示基板２３と、便座のヒンジ機構２１と、便蓋のヒンジ機構１７のハーネスの束であり、前記上側ハーネス束２７は制御部１３と接続する。
【００２８】
第二ハーネス束固定部材１４は、図５で示すように凹形状であり、前固定プレート６の上面に沿って構成される。第二ハーネス束固定部材１４はバルブユニット１２付近に端部を持ち、左右方向に直線的な形状を持つが、それぞれ熱交換器９と制御部１３と脱臭ユニット１５と最短距離でハーネス接続ができるように分岐構成を備える。また、第二ハーネス束固定部材１４は、凹部に下側ハーネス束３０を収納でき、フック２８により下側ハーネス束３０がフック２８から抜けない構造を備えることでハーネスの噛み込みを防止する。
【００２９】
また前固定プレート６は、前記第二ハーネス固定部材１４を取り付けるためのフック２９を設けており、フック２９に第二電線ユニット３４を嵌合することで組み立てられるためハーネス配線作業の必要がない。
【００３０】
下側ハーネス束３０は、ポンプ３２と、熱交換器９と、制御部１３と、脱臭ユニット１５のハーネスの束であり、前記下側ハーネス束３０は制御部１３と接続する。
【００３１】
本発明の構造をとる衛生洗浄装置の組立は、まず前固定プレート６にハーネス束固定部材１４を取り付けた後に局部洗浄ノズル８と、熱交換器９と、バルブユニット１２と制御部１３とを組み付ける、ハーネス束固定部材１４の分岐の端部からでるハーネスとそれぞれの電子部品のコネクタ接続部を接続することで、前固定プレート６にケースカバー３を組み付けるときに噛み込みの懸念はない構造をとる。
【００３２】
また、衛生洗浄装置の組立は、ケースカバー３にハーネス束固定部材２４を取り付けた後にヒンジ機構２１と、ヒンジ機構１７と、リモコン受光部２０と、人体検知部１６と、焦電センサ２２と、ドライバー基板１９と、表示基板２３と着座SW１８とを組み付け、ハーネス束固定部材２４の分岐の端部からでるハーネスとそれぞれの電子部品のコネクタ接続部を接続して、制御部１３へと接続することで、前固定プレート６にケースカバー３を組み付けるときに噛み込みの懸念はない構造をとっている。
【００３３】
上記説明のように本実施例による衛生洗浄装置は、複数のハーネスを一本の束としてハーネス束固定部材１４と、ハーネス束固定部材２４に嵌合し、第一電線ユニット３５及び、第二電線ユニット３４として前固定プレート６またはケースカバー３に接続することで、ハーネスの噛み込みによる懸念がなく配線作業を容易に行うことができる。また、配線作業も電子部品の周辺に電線ユニットからハーネスが出ているため、ハーネスの取り回しが少なく作業者が配線作業をより用意に行うことができる。
【符号の説明】
【００３４】
１…便器  ２…衛生洗浄装置の本体  ３…ケースカバー  ４…便蓋  ５…便座  ６…前固定プレート  ７…後固定プレート  ８…局部洗浄ノズル  ９…熱交換器  １０…流量調節モーター  １１…ステッピングモーター  １２…バルブユニット  １３…制御部  １４…第二ハーネス束固定部材  １５…脱臭ユニット  １６…人体検知部  １７…ヒンジ機構  １８…着座SW  １９…ドライバー基板  ２０…リモコン受光部  ２１…ヒンジ機構  ２２…焦電センサ  ２３…表示基板  ２４…第一ハーネス束固定部材  ２５…フック  ２６…フック  ２７…上側ハーネス束  ２８…フック  ２９…フック  ３０…下側ハーネス束  ３１…タイミングベルト  ３２…ポンプ  ３３…センサ  ３４…第二電線ユニット  ３５…第一電線ユニット  
【図１】
2015209733.tif 000003
【図２】
2015209733.tif 000004
【図３】
2015209733.tif 000005
【図４】
2015209733.tif 000006
【図５】
2015209733.tif 000007